(57)【要約】【課題】ワンタッチキー部の操作性を向上させようとすると、操作パネルの防塵性や意匠性を損なうことになる。【解決手段】複合機１のコントローラへの入力内容が複数個割付けられるワンタッチキー１８の群と、複数の入力内容のうち、いずれか一つを実効的な入力内容に切り替えるワンタッチパネル２０・２０・２０と、ワンタッチキー１８の群およびワンタッチパネル２０・２０・２０の全体を覆い隠すことが可能に開閉自在に設けられるワンタッチカバー１２と、を備える操作パネル８であって、ワンタッチカバー１２の閉状態においてワンタッチキー１８の一又は複数を押圧する押しボタン１９を、複数備えると共に、各押しボタン１９にも、前記コントローラへの入力内容が独立して割付可能に構成され、ワンタッチカバー１２には、押しボタン１９の押圧面１９ａを露出させる開口部が形成される。【選択図】図２
2007266766.tif 000002
【特許請求の範囲】
【請求項１】
パネルケーシングと、
コントローラへの入力内容を複数、割付け可能なワンタッチキーの群と、
前記複数の入力内容のうち、いずれか一つを実効的な入力内容に切り替えるワンタッチパネルと、
前記ワンタッチキーの群および前記ワンタッチパネルの全体を覆い隠すことが可能に、前記パネルケーシングに開閉自在に設けられるワンタッチカバーと、
を備える操作パネルであって、
前記ワンタッチカバーの閉状態において前記ワンタッチキーの一又は複数を押圧する押しボタンを、複数備えると共に、
前記各押しボタンにも、前記コントローラへの入力内容が独立して割付可能に構成され、
前記ワンタッチカバーには、前記押しボタンの押圧面を露出させる開口部が形成される、
ことを特徴とする操作パネル。
【請求項２】
前記押しボタンは前記ワンタッチカバーに脱落不能に支持される、
ことを特徴とする請求項１に記載の操作パネル。
【請求項３】
前記押しボタンと前記ワンタッチキーとを一対一で対応させる構成において、
前記押しボタンにおける前記ワンタッチキーを押圧する面のサイズは、前記ワンタッチキーの押圧面のサイズよりも、小さく形成される、
ことを特徴とする請求項１または請求項２に記載の操作パネル。
【請求項４】
前記ワンタッチキーの押圧面は矩形形状であり、前記押しボタンの押圧面は丸形状とする、
ことを特徴とする請求項１から請求項３のいずれかに記載の操作パネル。
【発明の詳細な説明】
【技術分野】
【０００１】
ワンタッチキー群と、ワンタッチパネルと、前記ワンタッチキー群および前記ワンタッチパネルの全体を覆い隠すワンタッチカバーと、を備える操作パネルに関する。
【背景技術】
【０００２】
従来のファクシミリ装置等では、操作パネルのワンタッチキー部（ワンタッチキーおよびワンタッチパネル）を覆う開閉可能なカバーは、キーのない単なる蓋状カバーで構成するか、ファクシミリ装置のモード切替キー（ＦＡＸ／ＳＣＡＮ／ＣＯＰＹの切替え）が設けられたカバーで構成されていた。
特許文献１には、ワンタッチキー部を覆うカバーに、モード切替キーを設けた構成の操作パネルが開示されている。
【０００３】
【特許文献１】特開２００１−２３８０１３号公報
【発明の開示】
【発明が解決しようとする課題】
【０００４】
ワンタッチキー部を押すためには、ワンタッチキー部を覆うカバーを開放するという予備動作が必要であり、全体として２アクションを要することになり、ワンタッチキー部（操作パネル）の操作性がよくなかった。
また、ワンタッチキー部を覆うカバーを無くしてしまうと前述した問題（操作性の不良）は無いが、ホコリ等でワンタッチキー部が汚れやすかったり、操作パネル全体での意匠面における一体感が損なわれるといった見栄えの問題があった。
【０００５】
つまり、解決しようとする問題点は、操作パネルの操作性を向上させようとすると、操作パネルの防塵性や意匠面での一体感を損なうことになる点である。
【課題を解決するための手段】
【０００６】
本発明の解決しようとする課題は以上の如くであり、次にこの課題を解決するための手段を説明する。
【０００７】
請求項１に係る操作パネルは、
パネルケーシングと、
コントローラへの入力内容を複数、割付け可能なワンタッチキーの群と、
前記複数の入力内容のうち、いずれか一つを実効的な入力内容に切り替えるワンタッチパネルと、
前記ワンタッチキーの群および前記ワンタッチパネルの全体を覆い隠すことが可能に、前記パネルケーシングに開閉自在に設けられるワンタッチカバーと、
を備える操作パネルであって、
前記ワンタッチカバーの閉状態において前記ワンタッチキーの一又は複数を押圧する押しボタンを、複数備えると共に、
前記各押しボタンにも、前記コントローラへの入力内容が独立して割付可能に構成され、
前記ワンタッチカバーには、前記押しボタンの押圧面を露出させる開口部が形成される、
ものである。
【０００８】
ここで、コントローラは、操作パネルに備えるキー等の入力手段による入力情報の送信先、または、操作パネルに備える表示ディスプレイ等の出力手段へ出力させる出力情報の送信元となるものであって、操作パネルが接続される装置本体もしくは操作パネル自体に備えられるものである。
コントローラへの入力内容は、操作パネルがファクシミリ装置等に配置される場合は、例えば、短縮ダイヤルにおけるＦＡＸ・電話番号とすることができる。
ワンタッチカバーは、押しボタンの押圧面を露出される開口部が形成されるものであればよく、押しボタン自体を支持する機能を有しないものとしてもよい。この場合は、押しボタンは、ワンタッチカバーとは別体の支持部材により、支持するものとする。
また、ワンタッチキーにコントローラへの入力内容を割付ける構成とは、ワンタッチキーの操作により、当該ワンタッチキーに割付けられた入力内容がコントローラに入力される構成としたことを意味する。同様に、押しボタンにコントローラへの入力内容を割付ける構成とは、押しボタンの操作により、当該押しボタンに割付けられた入力内容がコントローラに入力される構成としたことを意味する。
【０００９】
以上構成により、次の作用がある。
ワンタッチカバーの閉状態において、押しボタンを操作すると、この押しボタンに対応するワンタッチキーが押されて、この押しボタンに割付けられた入力内容がコントローラへ入力される。
【００１０】
請求項２に係る操作パネルは、請求項１において、次の構成としたものである。
前記押しボタンは前記ワンタッチカバーに脱落不能に支持される、
ものである。
【００１１】
以上構成により、次の作用がある。
ワンタッチカバーを開状態とすると、押しボタンもワンタッチカバーと一緒に移動し、ワンタッチキーが露出される。
【００１２】
請求項３に係る操作パネルは、請求項１または請求項２において、次の構成としたものである。
前記押しボタンと前記ワンタッチキーとを一対一で対応させる構成において、
前記押しボタンにおける前記ワンタッチキーを押圧する面のサイズは、前記ワンタッチキーの押圧面のサイズよりも、小さく形成される、
ものである。
【００１３】
以上構成により、次の作用がある。
ワンタッチカバーの閉状態において押しボタンが押された場合、押しボタンにおける前記ワンタッチキーを押圧する面の全面が、ワンタッチキーの押圧面の一部領域にのみ接触する。
【００１４】
請求項４に係る操作パネルは、請求項１または請求項２において、次の構成としたものである。
前記ワンタッチキーの押圧面は矩形形状であり、前記押しボタンの押圧面は丸形状とする、
ものである。
【００１５】
以上構成により、次の作用がある。
ワンタッチキーと押しボタンとが視覚的に明らかに相違するようになる。
【発明の効果】
【００１６】
本発明の効果として、以下に示すような効果を奏する。
【００１７】
請求項１においては、
ワンタッチキー等を被覆するワンタッチカバーをパネルケーシングに設けるので、操作パネルのケーシング全体（ワンタッチカバーおよびパネルケーシング）に意匠面での一体感や防塵性が確保される。しかも、ワンタッチカバーの閉状態で、ワンタッチキーと同様の機能（コントローラへの入力内容を割付け可能）を有する押しボタンを操作することができ、操作パネルの操作性も向上できる。
【００１８】
請求項２においては、請求項１の効果に加えて、
ワンタッチカバーを開放すれば、ワンタッチキーの操作が可能となり、操作性が向上している。
【００１９】
請求項３においては、請求項１または請求項２の効果に加えて、
ワンタッチカバーに初期歪みがあったり長期使用による歪みが発生して、ワンタッチキーに対する押しボタンの相対位置がズレることがあっても、押しボタンが一対一対応の対象外のワンタッチキーを押圧してしまう位置までズレてしまうことが防止される。
【００２０】
請求項４においては、請求項１から請求項３のいずれかの効果に加えて、
押し間違いの発生やワンタッチカバーの閉め忘れを、防止することが可能となる。
【発明を実施するための最良の形態】
【００２１】
本発明の実施の形態を、図面を用いて説明する。
【００２２】
図１を用いて、複合機１を説明する。
複合機１は、コピー機能、スキャナ機能、プリンタ機能を合わせ有するファクシミリ装置である。
ここで、複合機１に係る方向を定義する。図１は複合機１の前面を示すものとし、図１の紙面に垂直な方向を複合機１の前後方向、図１の紙面に沿う上下方向を複合機１の上下方向、図１の紙面に沿う左右方向を複合機１の左右方向とする。
【００２３】
この複合機１には、下から上に向けて、給紙装置４、プリンタ装置（画像形成装置）５、スキャナケーシング６、自動原稿搬送装置（ＡＤＦ）７が、備えられている。また、スキャナケーシング６の前側に配置される操作パネル８や、スキャナケーシング６の左側に配置されるハンドセットユニット９も、複合機１に備えられるものである。
【００２４】
複合機１に備える前記各装置を概略的に説明する。
プリンタ装置（画像形成装置）５は、イメージデータを記録紙上に印字する装置である。このプリンタ装置５内には、ファクシミリ通信回路部、電話通信回路部が内蔵されている。給紙装置４は、プリンタ装置５に記録紙を供給する装置である。
スキャナケーシング６には、スキャナ装置（画像読取装置）が内蔵されている。スキャナ装置は、原稿画像を読み取って、その原稿のイメージデータを作成する装置である。ＡＤＦ７は、原稿を搬送して、スキャナケーシング６内のスキャナ装置に備える読取部を原稿の各部が通過するようにさせる装置である。スキャナ装置は、原稿画像を読み取って、その原稿のイメージデータを作成する装置である。
操作パネル８は、詳しくは後述するが、複合機１に備える各機能を作動させるためのユーザの操作入力手段（キー等で構成）と、複合機１の作動状況を表示するための画像出力手段（表示ディスプレイ１３）と、を備えるものである。
ハンドセットユニット９に備えるハンドセット１０は、電話の受話器であり、電話通信における音声入力手段および音声出力手段を構成するものである。
【００２５】
図２、図３を用いて、操作パネル８を説明する。
操作パネル８のケーシング（パネルケーシング１１）は、複合機１の左右方向に長い形状であり、このパネルケーシング１１の右端部に、このパネルケーシング１１に対して開閉自在のワンタッチカバー１２が配置されている。
操作パネル８には、各種キー１４Ａ・１４Ｂ・１４Ｃ・１５・１６・１８および表示ディスプレイ１３が配置されている。パネルケーシング１１には、キーや表示ディスプレイ１３の配置部位に対応する箇所に、それぞれ開口部が形成されており、キーの上面や、表示ディスプレイ１３が、パネルケーシング１１の外部に露出するようにしている。これらの各キー１４Ａ・１４Ｂ・１４Ｃ・１５・１６・１８の上面は、ユーザが指でキーを押圧する面（押圧面）となっている。
【００２６】
前記の各種キーとしては、パネルケーシング１１の左端部に配置されるモード切替キー（ＦＡＸキー１４Ａ、ＳＣＡＮキー１４Ｂ、ＣＯＰＹキー１４Ｃ）や、パネルケーシング１１の右より中央部で上下に配置されるテンキー１５の群およびスタートキー１６、パネルケーシング１１の右端部に配置されるワンタッチキー部１７に備えるワンタッチキー１８、などがある。
【００２７】
ここで、モード切替キー１４Ａ・１４Ｂ・１４Ｃは、複合機１の作動を、それぞれ対応するモード（ＦＡＸ、ＳＣＡＮ、ＣＯＰＹ）に切り替える指令を入力するためのキーである。また、テンキー１５の群は、０、１〜９までの１０個の数字に対応するキーの群よりなっており、ＦＡＸ通信や電話通信における通信先の入力や、ＣＯＰＹの実行枚数の入力を行うためのキーである。スタートキー１６は、ＦＡＸ、ＳＣＡＮ、ＣＯＰＹの実行指令等を入力するためのキーである。ワンタッチキー部１７には、詳しくは後述するが、ワンタッチキー１８の群と、押しボタン１９の群と、が備えられている。
【００２８】
ワンタッチキー部１７について説明する。
ワンタッチキー部１７は、操作パネル８の右端部に配置されており、ワンタッチキー１８の群と、ワンタッチパネル２０を複数枚と、ワンタッチカバー１２と、押しボタン１９の群と、を備えている。
【００２９】
ワンタッチキー１８は、短縮ダイヤルにおけるＦＡＸ・電話番号の割付が可能に設定されたキーである。このワンタッチキー１８の上面（押圧面）１８ａは、パネルケーシング１１に形成された開口部より、パネルケーシング１１の外部に露出している。このワンタッチキー１８の操作（押圧面たる上面１８ａの押圧操作）により、そのワンタッチキー１８に割付けられたＦＡＸ・電話番号が、ＦＡＸ通信または電話通信の通信先として、複合機１のコントローラに入力される。
なお、ワンタッチキー１８に割付ける対象（複合機１のコントローラへの入力内容）を、短縮ダイヤルにおけるＦＡＸ・電話番号以外の内容に設定することも可能である。
本実施の形態では、ワンタッチキー１８は、上下左右に４列ずつ配置され、合計１６個配置されている。
【００３０】
一つのワンタッチキー１８には、複合機１のコントローラへの入力内容（ＦＡＸ・電話番号）を、同時に複数個（一個でもよい）、割付けることが可能に構成されている。ここで、一つのワンタッチキー１８が操作された際に、複合機１のコントローラに入力させる内容は、一つの入力内容に特定される必要がある。そこで、ワンタッチキー１８が操作された際に、そのワンタッチキー１８に割付けられた複数の入力内容のうち、どの入力内容を実効的な入力内容とするか、つまり複合機１のコントローラに実際に入力させる入力内容とするか、を切り替えるための操作手段が設けられている。この操作手段が、ワンタッチパネル２０である。
具体的には例えば、あるワンタッチキー１８に二つの通信先（Ａ社の番号、Ｂ社の番号）が割付けられている場合に、ワンタッチパネル２０の操作（後述するが開閉操作）によって、そのワンタッチキー１８における実効的な入力内容がいずれか（例えばＡ社の番号）に切り替えられる。そして、そのワンタッチキー１８が操作されると、その実効的な入力内容（例えばＡ社の番号）が、複合機１のコントローラに入力される。
本実施の形態では、ワンタッチパネル２０は複数枚、ワンタッチキー部１７に設けられており、これら複数枚のワンタッチパネル２０の操作の全体によって、各ワンタッチキー１８に割付けられた複数の入力内容より一の入力内容のみが実効するように切り替えられる。
【００３１】
このワンタッチパネル２０は、パネルケーシング１１の右端部の後部位置に、左右方向の回転軸３２を介して開閉自在に設けられている。また、ワンタッチパネル２０は、ワンタッチキー１８の全体に被さるように開閉すると共に、各ワンタッチキー１８と接触しないように、各ワンタッチキー１８に対応する部分に開口部が形成されている。
ここで、ワンタッチパネル２０がパネルケーシング１１の上面に接している状態を、ワンタッチパネル２０の閉状態（図２の状態）とし、ワンタッチパネル２０がパネルケーシング１１の上面から離間して上方に位置する状態を、ワンタッチパネル２０の開状態とする。
【００３２】
加えて、ワンタッチパネル２０が、閉状態にあるか開状態にあるかを検出して、その検出情報を、複合機１のコントローラに送信する手段が設けられている。この検出手段は、図示しないが、ワンタッチパネル２０が閉じられると、ワンタッチパネル２０の（閉状態における）下面によって押圧されるスイッチである。
そして、複数枚配置されているワンタッチパネル２０の開閉状態に組み合わせによって、各ワンタッチキー１８における実効的な入力内容が切り替えられるようにしている。
ここで、ワンタッチパネル２０全体の開閉状態によって、ワンタッチキー１８の全体について、各ワンタッチキー１８における実効的な入力内容が、一律に切り替えられるものである。
【００３３】
本実施の形態では、三枚のワンタッチパネル２０が設けられており、三枚のワンタッチパネル２０のそれぞれが、閉・閉・閉の状態、開・閉・閉の状態、開・開・閉の状態、開・開・開の状態、の四つの状態を取りうるものとなっている。
このため、各ワンタッチキー１８には、異なる四つの入力内容を割付けることが可能である。そして、三枚のワンタッチパネル２０により構成される入力内容切替の操作手段により、各ワンタッチキー１８に割付けられた入力内容の四つのうちから、実効的な入力内容が択一に切替られるようにしている。
【００３４】
ワンタッチカバー１２は、ワンタッチキー部１７に備えるワンタッチキー１８の群および複数（三枚）のワンタッチパネル２０の全体を覆い隠すことが可能に、パネルケーシング１１の右端部に、左右方向の回転軸２２を介して、開閉自在に設けられている。
ここで、パネルケーシング１１は、ワンタッチカバー１２がパネルケーシング１１に対して閉じた状態（以下、閉状態）で、パネルケーシング１１およびワンタッチカバー１２の全体が、段差のない一体的で若干丸みを帯びた略直方体形状となるように構成されている。このパネルケーシング１１自体は、ワンタッチカバー１２の配置部分で、上面が下方に窪むように形成されている。つまり、パネルケーシング１１自体は、パネルケーシング１１にワンタッチカバー１２に合わせる（閉じる）ことを前提に、その形状が形成されている。そして、パネルケーシング１１および閉状態のワンタッチカバー１２の全体に、意匠面での一体感が得られるようにしている。
また、閉状態のワンタッチカバー１２は、ワンタッチキー部１７に備えるワンタッチキー１８の群および複数（三枚）のワンタッチパネル２０を、ホコリから保護する機能も有している。ワンタッチキー１８の群および複数（三枚）のワンタッチパネル２０には、（複合機１において）相対的に細かい部品が多く配設されており、露出した状態にあると、ホコリが溜まりやすいが、ワンタッチカバー１２によりこの不具合が防止されている。
【００３５】
押しボタン１９は、前記ワンタッチキー１８と同様に、短縮ダイヤルにおけるＦＡＸ・電話番号の割付が可能に設定されたキーである。この押しボタン１９に割付ける（複合機１のコントローラへの）入力内容は、ワンタッチキー１８に割付けた入力内容とは、独立して設定することが可能である。この押しボタン１９は、ワンタッチカバー１２に脱落不能に設けられている。加えて、押しボタン１９の上面（押圧面）１９ａは、ワンタッチカバー１２に形成された開口部より、ワンタッチカバー１２の外部に露出している。
そして、ワンタッチカバー１２の閉状態において、押しボタン１９を押圧操作すると、この押しボタン１９がワンタッチキー１８を押圧可能となるように、ワンタッチキー１８、ワンタッチカバー１２、押しボタン１９のレイアウトが構成されている。
なお、押しボタン１９に割付ける対象（複合機１のコントローラへの入力内容）を、短縮ダイヤルにおけるＦＡＸ・電話番号以外の内容に設定することも可能である。
【００３６】
この押しボタン１９は、本実施の形態では、ワンタッチキー１８と一対一対応するように、ワンタッチキー１８と同数（１６個）が、平面視において同様のレイアウトで設けられている。つまり、閉状態のワンタッチカバー１２に設けられた１６個の押しボタン１９のそれぞれは、１６個のワンタッチキー１８のそれぞれの直上方位置に、位置するようになっている。そして、ある押しボタン１９が押されると、その押しボタン１９に対応する位置のワンタッチキー１８が連動して押されるようになっている。
【００３７】
押しボタン１９の操作による（複合機１のコントローラへの）入力は、ワンタッチカバー１２の閉状態においてのみ有効である。
ここで、複合機１のコントローラ側に、押しボタン１９の押圧操作に連動してワンタッチキー１８が押されたのか、ワンタッチキー１８が単独で押されたのか、を区別して認識させることができるようにするため、ワンタッチカバー１２の開閉状態を検出する検出手段が、操作パネル８に設けられている。
ワンタッチカバー１２の回転軸２２付近には、ワンタッチカバー１２が閉じられると、ワンタッチカバー１２の（閉状態における）下面１２ｂによって押圧されるスイッチ２１が設けられている。このスイッチ２１が、ワンタッチカバー１２の開閉状態を検出する検出手段である。
そして、スイッチ２１でワンタッチカバー１２が閉状態にあることが検出されている状態で、押しボタン１９の操作が行われた場合のみ、押しボタン１９の操作による入力が有効となるようにしている。
【００３８】
押しボタン１９をワンタッチカバー１２に支持する構造について説明する。
各押しボタン１９は、前述したように、ワンタッチカバー１２に脱落不能に支持されている。より詳しくは、各押しボタン１９はワンタッチカバー１２に、ワンタッチカバー１２の（閉状態における）上面１２ａおよび下面１２ｂを横切る方向（閉状態における上下方向）に、移動自在かつ脱落不能に支持されている。ワンタッチカバー１２の上面１２ａおよび下面１２ｂには、それぞれ、各押しボタン１９の上面（指等の押圧面）１９ａおよび下面（ワンタッチキー１８の押圧面）１９ｂが、露出するように、開口部が形成されている。ここで、これらの開口部より各押しボタン１９が脱落することがないように、各押しボタン１９の（閉状態における）上下方向中間部は、上面１９ａに対応するワンタッチカバー１２の開口部や、下面１９ｂに対応するワンタッチカバー１２の開口部よりも、幅広（大径）に形成されている。
【００３９】
ワンタッチキー１８と押しボタン１９とにおける上面（押圧面）形状について説明する。
ワンタッチキー１８の上面（押圧面）１８ａは矩形形状であるのに対して、押しボタン１９の上面（押圧面）１９ａは丸形状である。
このようにワンタッチキー１８と押しボタン１９とが視覚的に明らかに相違するので、ユーザが、ワンタッチキー１８と押しボタン１９とを識別しやすく、押し間違いの発生やワンタッチカバー１２の閉め忘れを、防止することが可能となる。
【００４０】
ワンタッチキー１８と押しボタン１９とにおける上面（押圧面）のサイズについて説明する。
押しボタン１９にワンタッチキー１８を一対一で対応させる構成において、押しボタン１９の上面（押圧面）１９ａのサイズは、ワンタッチキー１８の上面（押圧面）１８ａのサイズよりも、小さく形成されている。
このため、ワンタッチカバー１２に初期歪みがあったり長期使用による歪みが発生して、ワンタッチキー１８に対する押しボタン１９の相対位置がズレることがあっても、押しボタン１９が対象外のワンタッチキー１８を押圧してしまう位置までズレてしまうことが防止される。
【００４１】
押しボタン１９とワンタッチキー１８との対応について説明する。
本実施の形態では、押しボタン１９とワンタッチキー１８とを同数設けると共に、押しボタン１９とワンタッチキー１８とを一対一で対応させるようにしている。この構成に限定されるものではなく、次のような構成であってもよい。
まず、押しボタンとワンタッチキーとを一対一で対応させる場合においては、押しボタンとワンタッチキーとを同数設ける場合（本実施の形態）だけでなく、押しボタンの配置数をワンタッチキーの配置数より少なくしてもよい。例えば、押しボタンが６個に対してワンタッチキーが１６個とし、ワンタッチキー１６のうち、６個は押しボタンにそれぞれ対応するボタンであるが、残りの１０個は押しボタンに対応しないボタンとする。
また、押しボタンとワンタッチキーとを一対複数で対応させる場合は、押しボタンの下面（ワンタッチキーを押圧する面）を、ワンタッチキーの押圧面を複数同時に押圧できる程度の大きさに形成する。そして、一つの押しボタンが押圧された際に、複数のワンタッチキーが押圧されるようにする。この場合、複合機のコントローラが、押しボタンが押圧されたか否かを認識する方法としては、該当の押しボタンに対応する複数のワンタッチキーのすべてが同時に押されたことを検出することで認識するものとしても、該当の押しボタンに対応する複数のワンタッチキーのいずれかが押されたことを検出することで認識するものとしてもよい。この場合も、コントローラが押しボタンが押されたのか、ワンタッチキーが単独で押されたのかを区別して認識できるように、ワンタッチカバーの開閉状態の検出結果を利用するものとする。
【図面の簡単な説明】
【００４２】
【図１】複合機の前面図である。
【図２】ワンタッチカバーの閉状態における操作パネルを示す斜視図である。
【図３】ワンタッチカバーの開状態における操作パネルを示す斜視図である。
【符号の説明】
【００４３】
８    操作パネル
１１    パネルケーシング
１２    ワンタッチカバー
１８    ワンタッチキー
１８ａ    上面（押圧面）
１９    押しボタン
１９ａ    上面（押圧面）
１９ｂ    下面（ワンタッチキーを押圧する面）
【図１】
2007266766.tif 000003
【図２】
2007266766.tif 000004
【図３】
2007266766.tif 000005